(57)【要約】【課題】光量調節ユニット（１２）よりも物体側に配置される第１のレンズユニット（Ｌ３ａ）と、光量調節ユニット（１２）よりも像面側に配置された第２のレンズユニット（Ｌ３ｂ）を有し、これらは光軸直交方向に一体的に移動可能であり、第１のレンズユニット（Ｌ３ａ）と第２のレンズユニット（Ｌ３ｂ）の間の空間に、光量調節ユニット（１２）を挿入するレンズ鏡筒において、装置を大型化すること無く、組立時に光量調節ユニット（１２）がレンズに当たってレンズに傷や汚れが生じるのを防止できるレンズ鏡筒および光学機器を提供すること。【解決手段】光量調節ユニット（１２）は、レンズ保持枠（２２）が前記駆動手段により光軸直交方向に移動した際に、前記レンズ移動枠とは干渉しない領域に、光軸直交方向に突出した突起形状（１２ｅ）と、光軸方向に突出した突起形状（１２ｃ、１２ｄ）とを有する【選択図】図８
2012093496.tif 000002
【特許請求の範囲】
【請求項１】
光量調節ユニットと、
前記光量調節ユニットよりも物体側に配置された第１のレンズユニットと、
前記光量調節ユニットよりも像面側に配置された第２のレンズユニットと、
前記第１のレンズユニットと前記第２のレンズユニットを一体的に移動可能に保持するレンズ保持枠と、
前記レンズ保持枠を光軸直交方向に駆動する駆動手段とを有し、
前記光量調節ユニットは、前記レンズ保持枠が前記駆動手段により光軸直交方向に移動した際に、前記レンズ移動枠とは干渉しない領域に、光軸直交方向に突出した突起形状と、光軸方向に突出した少なくともひとつの突起形状とを有することを特徴とするレンズ鏡筒。
【請求項２】
前記レンズ保持枠は、前記第１のレンズユニットを保持する第１のレンズ保持枠と、
前記第２のレンズユニットを保持する第２のレンズ保持枠と、
前記第１のレンズ保持枠と前記第２のレンズ保持枠を第１の光軸直交方向の両側において連結する連結部を有し、
前記第１のレンズ保持枠と前記第２のレンズ保持枠と前記連結部とにより囲まれた空間に、前記第１の光軸直交方向に対して直交する第２の光軸直交方向から前記光量調節ユニットは挿入され、前記光量調節ユニットは、前記挿入方向と直交する方向に、前記光軸直交方向に突出した突起形状を有し、その挿入過程において、前記光軸直交方向に突出した突起形状が、前期レンズ保持枠の連結部に当接することで、前記レンズ保持枠が光軸直交方向に片寄せされ、更に、前記光軸方向に突出した突起形状が、前期レンズ保持部近傍に当接することで、前記光量調節ユニットをレンズユニットから離れる方向に片寄せし、前記光量調節ユニットと前記レンズユニットの間に隙間が確保されることを特徴とする請求項１に記載のレンズ鏡筒。
【請求項３】
請求項１または請求項２に記載のレンズ鏡筒を備える光学機器。
【発明の詳細な説明】
【技術分野】
【０００１】
本発明は、デジタルカメラ、ビデオカメラ、ＴＶカメラ等の撮像装置に用いるレンズ鏡筒や光学機器に関するものである。
【背景技術】
【０００２】
撮像装置に用いられるレンズ鏡筒には、光軸に略直交する方向（以下、光軸直交方向という）にレンズを移動させることによって撮影光学系の光軸を曲げ、手振れ等に起因する像振れを補正する振れ補正装置が搭載されていることが多い。このような振れ補正装置において、小型化、更にはズームレンズに用いた場合の変倍効率の向上を目的として、光量調節ユニットに対して物体側と像面側それぞれにレンズユニットを配置し、それらのレンズユニットを一体的に駆動する構成が提案されている。例えば、特許文献１の装置では、光量調節ユニットと、光量調節ユニットに対して、物体側に配置された第１のレンズユニットと、像面側に配置された第２のレンズユニットと、第１および第２のレンズユニットを光軸直交方向に駆動する駆動手段とを有する。前記第１および第２のレンズユニットは保持部材で一体的に保持され、前記駆動手段により、光軸直交方向に駆動されることを特徴とする装置が開示されている。
【先行技術文献】
【特許文献】
【０００３】
【特許文献１】特開２００５−２９２２１２号公報
【発明の概要】
【発明が解決しようとする課題】
【０００４】
しかしながら、上記の特許文献に開示された従来技術においては、以下のような課題がある。レンズユニットの保持部材は、第１および第２のレンズユニットをそれぞれ保持する第１および第２の保持部と、該第１および第２の保持部を第１の光軸直交方向の両側において連結する連結部を有している。その第１および第２の保持部と前記連結部とにより囲まれた空間に、前記第１の光軸直交方向に対して直交する第２の光軸直交方向から光量調節ユニットを挿入して配置することとなる。組立時においては、第２と第２のレンズユニットの間の空間に光量調節ユニットを挿入こととなり、特に、凸レンズの場合には、光量調節ユニットをレンズに当ててしまい、レンズの傷や汚れといった不良を発生させてしまう問題があった。その防止対策として、光量調節ユニットに光軸方向に突起形状を設けて、その突起を前記保持部材に当接させることで組込時のレンズ当たりを防止していた。しかし、その突起形状がスペース上、光軸に対して片側に対してのみしか設置できないと、光量調節ユニットが傾きながら挿入された際にレンズに当たる可能性があった。突起形状を光軸を挟んで両側に設定できれば更なる対策効果があるが、装置の幅を広げる必要があり大型化してしまう。
【０００５】
そこで、本発明は、記従来技術のような構成の装置において、装置を大型化すること無く、組立時に光量調節ユニットにレンズに当たるのを防止できるレンズ鏡筒およびそれを備える光学機器を提供することを目的とする。
【課題を解決するための手段】
【０００６】
光量調節ユニットと、前記光量調節ユニットよりも物体側に配置された第１のレンズユニットと、前記光量調節ユニットよりも像面側に配置された第２のレンズユニットと、前記第１のレンズユニットと前記第２のレンズユニットを一体的に移動可能に保持するレンズ保持枠と、前記レンズ保持枠を光軸直交方向に駆動する駆動手段とを有し、前記光量調節ユニットは、前記レンズ保持枠が前記駆動手段により光軸直交方向に移動した際に、前記レンズ移動枠とは干渉しない領域に、光軸直交方向に突出した突起形状と、光軸方向に突出した少なくともひとつの突起形状とを有することを特徴とする。
【発明の効果】
【０００７】
本発明によれば、光量調節ユニットを第１と第２のレンズユニットの間の空間に光軸と直交方向から挿入する際に、大型化すること無く、組立時に光量調節ユニットにレンズに当たるのを防止できるレンズ鏡筒、光学機器を提供することことができる。
【図面の簡単な説明】
【０００８】
【図１】本発明のレンズ鏡筒の断面図
【図２】本発明のレンズ鏡筒の分解斜視図
【図３】本発明のレンズ鏡筒が備えるシフトユニットの分解斜視図
【図４】本発明のレンズ鏡筒が備えるシフトユニットの駆動用アクチュエータの拡大図
【図５】本発明のレンズ鏡筒が備えるシフトユニットの駆動用アクチュエータの構成図
【図６】本発明のレンズ鏡筒を搭載したカメラの電気回路構成を説明するブロック図
【図７】本発明のレンズ鏡筒における光量調節ユニットの挿入方向を示す図
【図８】本発明のレンズ鏡筒における光量調節ユニットの挿入方向を示す斜視図
【図９】本発明のレンズ鏡筒における光量調節ユニットとシフト移動枠のみ図示した図
【図１０】本発明のレンズ鏡筒における光量調節ユニットの挿入過程を示す図
【図１１】従来例のレンズ鏡筒における光量調節ユニットの挿入方向を示す斜視図
【図１２】従来例のレンズ鏡筒における光量調節ユニットの挿入過程を示す図
【発明を実施するための形態】
【０００９】
以下に、本発明の好ましい実施形態を添付の図面に基づいて詳細に説明する。
〔第１実施形態〕
図１は本発明の第１実施形態のレンズ鏡筒の要部断面図、図２は図１の各要素の分解斜視図である。本実施例のレンズ鏡筒は、ビデオカメラやデジタルスチルカメラ等の撮影装置に取り付けられ、或いは一体に設けられて使用される。
【００１０】
本実施例のレンズ鏡筒は例えば正、負、正、正の屈折力の４つのレンズ群より成る４群構成の変倍光学系（ズームレンズ）を有している。尚、レンズ鏡筒が有する光学形はどのような光学系でも良い。Ｌ１は光軸方向に固定（不動）の第１群レンズである。
【００１１】
Ｌ２は光軸方向に移動して変倍動作を行う第２群レンズ群である。Ｌ３は光軸と直交する方向つまり後述する縦方向及び横方向に移動して振れ補正（像ブレ補正）を行う可動の防振用光学素子を含む第３群レンズである。Ｌ４は光軸方向に移動し変倍に伴って変動する像面の補正作用及び合焦作用を行う第４群レンズである。
【００１２】
第１群レンズＬ１は固定鏡筒１により保持されている。第２群レンズＬ２は２群移動枠２により保持されている。第３群レンズＬ３はシフトユニット３により保持されている。第４群レンズＬ４は４群移動枠４により保持されている。
【００１３】
また、４群移動枠４の後方（像側）には、ＣＣＤ等から成る撮像素子を固定する撮像素子ホルダ５が設けられている。固定鏡筒１は前部固定筒６にビス止めされ、撮像素子ホルダ５と前部固定筒６は後部固定筒７にビス止めされている。
【００１４】
２群移動枠２はガイドバー８、９により光軸方向に移動可能に支持されている。ガイドバー８，９は前部固定筒６と後部固定筒７により位置決めされて固定されている。また、４群移動枠４はガイドバー１０、１１により光軸方向に移動可能に支持されている。ガイドバー１０，１１は撮像素子ホルダ５と後部固定筒７により位置決めされて固定されている。
【００１５】
シフトユニット３は後部固定筒７に対して位置決めされ、ビスにより固定されている。第３群レンズＬ３内には、撮影光学系に入射した光量を変化させる光量調節ユニット１２が配置されている。光量調節ユニット１２は、２枚以上の複数枚の絞り羽根を有する。  絞り羽根に連結する駆動レバーをガルバノメータ１２ａにより駆動することで、絞り羽根を光軸直交方向に移動させて開口径を変化させる。また、光量調節ユニット１２には、ＮＤフィルタが絞り羽根とは独立して光路に対して進退できるように構成されている。ＮＤフィルタも同様にガルバノメータ１２ｂを用いて駆動している。
【００１６】
第４群レンズＬ４はボイスコイルモータ１３により光軸方向に駆動されている。ボイスコイルモータ１３はマグネット１３ａ、ヨーク１３ｂ、ヨーク１３ｃ、コイル１３ｄとを有している。ボイスコイルモータ１３ではヨーク１３ｂが後部固定筒７に圧入固定され、ヨーク１３ｂにマグネット１３ａとヨーク１３ｃが磁力によって固定されている。コイル１３ｄに電流を流すことで、コイル１３ｄにローレンツ力が発生し、コイル１３ｄが光軸方向に駆動可能となる。コイル１３ｄは４群移動枠４に固定されており、コイル１３ｄの駆動により４群移動枠４が光軸方向に駆動される。
【００１７】
後部固定筒７に固定される光学式センサ１６は発光部と受光部とから成る。光学式センサ１６は４群移動枠４に接着固定された光学スケール１７に発光部から射出する光を照射し、反射光を受光部で読み取ることで、第４群レンズＬ４の光軸方向の絶対位置を検出している。
【００１８】
後部固定筒７には、ズームモータ１４がビスにより固定され、第２群レンズＬ２はズームモータ（ステッピングモータ）１４により光軸方向に駆動され変倍動作を行う。ズームモータ１４は回転するロータと同軸のリードスクリュー１４ａを有し、リードスクリュー１４ａには２群移動枠２に設けられたラック２ａが噛合している。ロータの回転により第２群レンズＬ２が光軸方向に駆動される。また、ガイドバー８，９、ラック２ａ及びリードスクリュー１４ａは、ねじりコイルばねによりそれぞれ、ガタが寄せられ、嵌合又は噛合のガタを防止している。
【００１９】
フォトインタラプタ１５は２群移動枠２に形成された遮光部２ｃの光軸方向への移動を光学的に検出する。そして、第２群レンズＬ２が基準位置に位置していることを検出するためのズームリセットスイッチとして用いられる。
【００２０】
次に第３群レンズＬ３を光軸直交方向に移動させるシフトユニット３の構成を説明する。図３は、シフトユニット３の分解斜視図、図４はシフトユニット３のピッチ方向（縦方向）の駆動部の拡大断面図である。
【００２１】
第３群レンズＬ３を保持するシフト移動枠２２（請求項でいうレンズ保持枠）は、ピッチ方向、すなわちレンズ鏡筒ないし撮影方向の縦方向の角度変化による像ぶれを補正するための縦方向駆動用アクチュエータによって駆動される。更に、ヨー方向、すなわちレンズ鏡筒ないし撮影装置の横方向の角度変化による像ぶれを補正するための横方向駆動用アクチュエータ（請求項でいう駆動手段）により光軸直交面内で駆動される。
【００２２】
カメラ等の光学機器には、図６に示すように、ピッチ方向およびヨー方向（横方向）の角度変化を検出するための振動ジャイロ等のピッチ方向振れセンサ５９とヨー方向振れセンサ６０が搭載されている。
【００２３】
コントロール回路（光学機器の制御全体を司るＣＰＵ等）５６は、これらぶれセンサ５９、６０からの出力と、第３群レンズＬ３の光軸直交面内での位置を検出する位置センサ（これについては後述する）からの信号とに基づいて各アクチュエータを制御する。なお、ピッチ方向とヨー方向では各アクチュエータはそれぞれ独立に駆動制御される。
【００２４】
また、ピッチ方向用アクチュエータおよび位置センサと、ヨー方向用のアクチュエータおよび位置センサは互いに９０度の角度をなすように配置されているが、構成自体は同一であるので、以下、ピッチ方向（縦方向）のみについて説明する。なお、符号の添え字ｐ、ｙはピッチ方向、ヨー方向を示している。
【００２５】
シフト移動枠２２は、第３群レンズＬ３を保持する機能を持ち、さらに、像ぶれを補正するために光軸直交方向に変位する。
【００２６】
マグネットベース１８には、駆動用と位置検出用とを兼ねるマグネット２４ｐが光軸直交方向に圧入保持されている。
【００２７】
マグネットベース１８とシフト移動枠２２は、間に金属プレート１９が挟み込まれた状態でビスで結合固定される。金属プレート１９とマグネットベース１８とシフト移動枠２２は可動部材の一要素を構成している。金属プレート１９の材質としては、例えばステンレス鋼などが適する。
【００２８】
シフトベース２１とマグネットベース１８との間には、ボール２０が光軸直交面内に３つ配置されている。尚、ボール２０は複数あれば良い。ボール２０とマグネットベース１８との間には前述した金属プレート１９が配置される。この金属プレート１９があることによって、レンズ鏡筒が衝撃を受けた際に、ボール２０によりモールド部品であるマグネットベース１８に打痕が付き、シフトユニット３の駆動特性が劣化するのを防止している。また、ボール２０は駆動用マグネット２４ｐと磁性部材２９ｐとの磁気吸着力によってシフトベース２１に形成されたボールフォルダ部２１ａでボール２０を回転可能に保持されている。なお、ボール２０の材質としては、その近傍に配置されたマグネット２４に吸着されないように、ステンレス鋼などが好適である。
【００２９】
駆動用マグネット２４ｐと磁性部材２９ｐは駆動部の一要素を構成している。
【００３０】
シフトベース２１（ボールフォルダ部２１ａの光軸方向端面）とマグネットベース１８（金属プレート１９）にボール２０を確実に当接させておくための力は、マグネット２４ｐと後ヨーク２９ｐとの間に作用する吸着力である。この吸着力によってマグネットベース１８がシフトベース２１に近づく方向に付勢されることにより、３つのボール２０は、３つのボールフォルダ部２１ａの光軸方向端面と金属プレート１９の３箇所１９ａに対して押圧状態で当接する。
【００３１】
次に、マグネットベース１８および第３群レンズＬ３を保持するシフト移動枠２２を駆動するアクチュエータ（請求項でいう駆動手段）について説明する。前述したように、２４ｐは図４に示すように光軸ＡＸＬから放射方向に２極磁されたマグネット、２３ｐはマグネット２４ｐの光軸方向前側の磁束を閉じるための前ヨークである。前ヨーク２３ｐは、マグネット２４ｐに吸着固定されている。２８ｐはシフトベース２１に接着固定されたコイル、２９ｐはマグネット２４ｐの光軸方向後側の磁束を閉じるための後ヨークである。
【００３２】
後ヨーク２９ｐは、コイル２８ｐを挟んでマグネット２４ｐとは反対側に配置され、シフトベース２１により保持されている。これらマグネット２４ｐ、前ヨーク２３ｐ、後ヨーク２９ｐおよびコイル２８ｐにより磁気回路が形成されている。
【００３３】
駆動用コイル２８ｐに電流を流すと、マグネット２４ｐの着磁境界に対して略直行する方向に、マグネット２４ｐとコイル２８ｐに発生する磁力線相互の反発によるローレンツ力が発生し、マグネットベース１８を光軸直交方向に移動させる。これはいわゆるムービングマグネット型アクチュエータである。
【００３４】
このような構成のアクチュエータが、縦方方向、横方向にそれぞれ配置されているので、マグネットベース１８および、それに結合されたシフト移動枠２２を互いに略直行する２つの光軸直交方向に駆動することができる。そして、これら縦方向と横方向の駆動合成によりマグネットベース１８およびシフト移動枠２２を光軸直交面内の所定の範囲内で自由に移動させることができる。
【００３５】
次にマグネットベース１８および第３群レンズＬ３を保持しているシフト移動枠２２の位置検出について説明する。２７ｐは磁束密度を電気信号に変換するホール素子であり、フレキシブルプリントケーブル（以下、ＦＰＣという）２６に半田付けされている。ＦＰＣ２６はシフトベース２１に対して位置決め固定されている。また、ＦＰＣ押さえ金具２５をビスでシフトベース２１に対して固定することによって、ＦＰＣ２６の浮きを防止し、かつ、ホール素子２７ｐの位置がずれるのを防止している。
【００３６】
マグネットベース１８および第３群レンズＬ３を保持するシフト移動枠２２が縦方向もしくは横方向に駆動されたとき、ホール素子２７ｐによってマグネット２４ｐの磁束密度の変化が検出され、この磁束密度の変化を示す電気信号が出力される。このホール素子２７ｐに基づいて、コントロール回路５６はマグネットベース１８および第３群レンズＬ３を保持するシフト移動枠２２の位置を検出することができる。なお、マグネット２４ｐは、駆動用マグネットであるとともに、位置検出用マグネットとしても用いられている。以上の構成により、マグネットベース２１および第３群レンズＬ３を保持するシフト移動枠２２の位置を検出する位置センサが形成されている。
【００３７】
図６は本実施例のレンズ鏡筒を有する撮像装置（光学機器）の要部ブロック図である。図６は撮影装置（カメラ）における各部材の駆動処理に関する電気的処理構成を示している。図６において、他の図にて説明した構成要素については、同符号を付す。
【００３８】
本実施例の撮像装置は図６に示すように、ピッチ方向およびヨー方向（横方向）の角度変化を検出するための振動ジャイロ等のピッチ方向振れセンサ５９とヨー方向振れセンサ６０が搭載されている。シフトユニット３の内部には、第３群レンズＬ３の光軸直交面内での位置を検出する位置センサ２７が縦方向の位置検出用（２７ｐ）と横方向の位置検出用（２７ｙ）がそれぞれ組み込まれている。コントロール回路（撮像装置の制御全体を司るＣＰＵ等）５６は、これらぶれセンサ５９、６０からの出力と、第３群レンズＬ３の位置センサ２７からの信号に基づいて各アクチュエータを制御する。
【００３９】
なお、ピッチ方向とヨー方向では各アクチュエータはそれぞれ独立に駆動制御される。アクチュエータは、縦方方向、横方向にそれぞれ配置されているので、第３群レンズＬ３を互いに直交又は略直交する２つの光軸直交方向に駆動する。そして、これら縦方向と横方向の駆動合成により、光軸直交面内の所定の範囲内で自由に移動させて、像ぶれを補正している。
【００４０】
フォトインタラプタ１５は、２群移動枠２が基準位置に位置したことを検出する。その後、ステッピングモータ１４に入力するパルス信号数を連続してカウントすることにより、２群移動枠２の光軸方向の移動量（基準位置に対する位置）の制御を行う。
【００４１】
光学式センサ１６は、４群移動枠４の絶対位置を検出する。
【００４２】
３６は絞りエンコーダであり、絞り駆動源１２ａ内にホール素子を配置し、ロータとステータの回転位置関係を検出する方式のものから成っている。５０はカメラ信号処理回路であり、撮像素子５８からの出力に対して所定の増幅やガンマ補正などの信号処理を施す。
【００４３】
これらの処理を受けた映像信号のコントラスト信号は、ＡＥゲート５２およびＡＦ（オートフォーカス）ゲート５１に供給される。ＡＥゲート５２およびＡＦゲート５１はそれぞれ、露出制御およびピント合わせのために最適な信号の取り出し範囲を全画面の映像信号の中から設定する。ゲートの大きさは可変であったり、複数設けられたりする場合がある。
【００４４】
５３はＡＦのためのＡＦ信号を処理するＡＦ信号処理回路であり、映像信号の高周波成分に関する１つもしくは複数の出力を生成する。
【００４５】
５４はズームスイッチ、５５はズームトラッキングメモリである。ズームトラッキングメモリ５５は、変倍に際して被写体距離と２群移動枠２の距離に応じた４群移動枠４の位置情報を記憶している。なお、ズームトラッキングメモリ５５として、コントロール回路５６内のメモリを使用してもよい。
【００４６】
例えば、撮影者によりズームスイッチ５４が操作されると、コントロール回路５６は、ズームトラッキングメモリ５５の情報をもとに算出した２群移動枠２と４群移動枠４の所定の位置関係が保たれるようにする。即ち、現在の２群移動枠２の光軸方向の絶対位置を示すカウント値と、算出された２群移動枠２のセットすべき位置とが一致するようにする。更に現在の４群移動枠４の光軸方向の絶対位置を示すカウント値と算出された４群移動枠４のセットすべき位置とが一致するように、ステッピングモータ１４とボイスコイルモータ１３の駆動を制御する。
【００４７】
またオートフォーカス動作では、コントロール回路５６は、ＡＦ信号処理回路５３の出力がピークを示すようにボイスコイルモータ１３の駆動を制御する。
【００４８】
さらに、適正露出を得るために、コントロール回路５６はＡＥゲート５２を通過したＹ信号の出力の平均値を基準値として、絞りエンコータ３６の出力がこの基準値となるように絞りモータ１２ａの駆動を制御し、光量をコントロールする。
【００４９】
コントロール回路５６は、ピッチ方向の振れセンサ５９とヨー方向の振れセンサ６０、および、位置センサ２７からの信号に基づいて像ぶれ補正のための防振用光学素子の駆動量を演算する。そして、第３レンズ群駆動源３１の構成部品である各駆動用コイルへの通電を制御する。それによって防振用光学素子を駆動して像ぶれを補正する。
【００５０】
上記実施例では、レンズ鏡筒がカメラ本体に一体的に設けられた撮像装置について説明した。本発明のレンズ鏡筒は、カメラ本体に対して着脱可能な交換レンズ装置や、あるいは銀鉛フィルムカメラおよびデジタルスチルカメラおよびビデオカメラ等にも適用できる。
【実施例１】
【００５１】
次に、本発明に関する実施例に関して図７〜図１３を用いて詳細に説明する。
【００５２】
図７および図８は光量調節ユニット１２とシフトユニット３のみを図示したものである。
【００５３】
図９は、光量調節ユニット１２を組込んだ後の状態であり、シフトユニット３に含まれる第３群レンズＬ３の光軸上が他のレンズ群との光軸と一致した状態を示す。ここでは、光量調節ユニット１２と第３群レンズＬ３とそれを保持するシフト移動枠２２（請求項でいうレンズ保持枠）のみ図示している。
【００５４】
第３レンズ群Ｌ３は、第３ａ群レンズＬ３ａと第３ｂ群レンズＬ３ｂからなる。第３ａ群レンズＬ３ａは、光量調節ユニット１２よりも物体側に配置される、請求項でいう第１のレンズユニットである。第３ｂ群レンズＬ３ｂは、光量調節ユニット１２よりも像面側に配置される、請求項でいう第２のレンズユニットである。
【００５５】
シフト移動枠２２は、第３ａ群レンズＬ３ａを保持する第１シフト鏡筒２２ａ（請求項でいう第１のレンズ保持枠）と、第３ｂ群レンズＬ３ｂを保持する第２シフト鏡筒２２ｂ（請求項でいう第２のレンズ保持枠）からなる。
【００５６】
第１シフト鏡筒２２ａは、第３ａ群レンズＬ３ａを保持するレンズ保持部２２ａ１と、第２シフト鏡筒２２ｂを保持する保持部２２ａ３と、それらを連結する連結部２２ａ２（請求項でいう連結部）とが設けられている。連結部２２ａ２は、連結強度確保のため、レンズ保持部２２ａ１の両側（請求項でいう第１の光軸直交方向の両側）に形成されている。
【００５７】
光量調節ユニット１２の横幅が光軸に対して非対称であるために、光軸ＡＸＬから連結部２２ａ２までの距離は、Ｚ＞Ｙとなっている。
【００５８】
第１シフト鏡筒２２ａと第２シフト鏡筒２２ｂは、相対的な偏芯を無くする、すなわち第３ａ群レンズＬ３ａと第３ｂ群レンズＬ３ｂの光軸を合わせるための調整を行った後に、接着剤２２ｃにより、接着固定される。
【００５９】
第２シフト鏡筒２２ｂは、第１シフト鏡筒２２ａに対して接着固定されるので、第３ａ群レンズＬ３ａと第３ｂ群レンズＬ３ｂは、光軸ＡＸＬを曲げて像振れ補正を行う際には、一体的に移動する。また、組立時の前述した駆動用アクチュエーターに無通電の状態では、図中Ｘの矢印方向に自由に動くことが出来る。
【００６０】
組立過程において、光量調節ユニット１２は、シフトユニット３に対して図７および図８に示す図中の矢印方向へ挿入する。この際、第１シフト鏡筒２２ａのレンズ保持部２２ａ１と連結部２２ａ１と第２シフト鏡筒２２ｂの保持部である２２ａ３、第２シフト鏡筒２２ｂとで囲まれた空間に挿入することとなる。
【００６１】
図１１、図１２は、従来例を示すものである。前記の光量調節ユニットを挿入する空間と光量調節ユニットの周りのスペースの範囲で、光量調節ユニット１１２がレンズに近づいた状態で挿入されると、凸レンズの場合は特に、レンズに当たる場合がある。図１１に示す従来例では、本発明における請求項に示す光軸直交方向の突起形状は形成されていないが、光量調節ユニット１１２がレンズに当たることを避けるために、光軸方向の突起１１２ｄが光量調節ユニット１１２に設置されている。
【００６２】
図１２は、図１１に示す従来例の光量調節ユニット１１２を前述の空間に挿入する途中過程を示している。光量調節ユニット１１２の突起１１２ｄが、第１シフト移動鏡筒２２ａの２２ａ３部に当接させることで、光量調節ユニット１１２と第３ｂ群レンズＬ３ｂの間に隙間を確保しようとしている。しかし、図に示す矢印Ｒの方向に光量調節ユニット１１２が傾くために、第３ｂ群レンズＬ３ｂに光量調節ユニット１１２が当たる場合がある。この挿入時の傾きをなくすには、光量調節ユニット１１２に光軸を挟んで反対側に１１２ｄと同様な突起を設置すればよいが、シフト移動枠２２が図中Ｘ１方向とは逆方向に移動した場合に、第２シフト鏡筒２２ｂに干渉するためにスペース的に設置できない。
【００６３】
特許文献１の特開２００５−２９２２１２号広報における実施例では、光軸直交方向の突起および光軸方向の突起のいずれも形成されていない。
【００６４】
以上の従来例における問題を解決するために、本実施例では、図７、図８に示すように光量調節ユニット１２には、光軸方向に突出した突起１２ｃと１２ｄ（請求項でいう光軸方向に突出した突起形状）を設けている。更に、光軸方向と直交する方向に突起１２ｅ（請求項でいう光軸直交方向に突出した突起形状）を設けている。これらの突起は、製品状態においては、図９に示すようにシフト移動枠２２の外側に、かつ、像振れ補正のためにシフト移動枠２２が光軸直交方向に移動しても干渉しない位置に配置されている。
【００６５】
図１０は、光量調節ユニット１２を前述の空間に挿入する途中過程を示している。光量調節ユニット１２の突起１２ｅが、第１シフト鏡筒２２ａの連結部２２ａ２に当接することで、シフト移動枠２２が図中Ｘ１方向に移動する。更に光量調節ユニット１２の突起１２ｃと１２ｄが、第１シフト移動鏡筒２２ａの２２ａ３部に当接することで、光量調節ユニット１２と第３ｂ群レンズＬ３ｂの間に隙間Ｌが確保され、レンズに光量調節ユニットが当たることを防止している。光量調節ユニット１２の突起１２ｅを設けたことで、前述の組込み時の傾きによるレンズへの当たりを防止する突起１２ｃが設置可能になっている。突起１２ｅには、組込時や解体時に光量調節ユニット１２がシフト移動枠２２に引っかかりなく抜き差しできるように傾斜面１２ｅ１と１２ｅ２を設けてある。突起１２ｃにも同様に傾斜面１２ｃ１、１２ｃ２を設けてある。さらに、突起１２ｄにも同様に傾斜面１２ｄ１、１２ｄ２を設けてある。
【００６６】
本実施例においては、前述の突起１２ｃ、１２ｄ、１２ｅを像振れ補正のためにシフト移動枠２２が光軸直交方向に移動しても干渉しない位置に配置しているので、シフト移動枠の大きさはそのままで、レンズ鏡筒を大型化することなく、組立時に光量調節ユニットがレンズを当たるのを防止できるレンズ鏡筒およびそれを有する光学機器を提供できるようになる。
【００６７】
以上、本発明の好ましい実施形態について説明したが、本発明はこれらの実施形態に限定されず、その要旨の範囲内で種々の変形および変更が可能である。
【符号の説明】
【００６８】
Ｌ１：第１群レンズ
Ｌ２：第２群レンズ
Ｌ３：第３群レンズ
Ｌ３ａ：第３ａ群レンズ
Ｌ３ｂ：第３ｂ群レンズ
Ｌ４：第４群レンズ
１：固定鏡筒
２：２群移動枠
３：シフトユニット
４：４群移動枠
５：ＣＣＤホルダ
６：前部固定筒
７：後部固定筒
１２：光量調節ユニット
１２ｃ：光軸方向に突出した突起形状
１２ｄ：光軸方向に突出した突起形状
１２ｅ：光軸直交方向に突出した突起形状
１３：ボイスコイルモータ
１４：ズームモータ
１５：フォトインタラプタ
１６：光学式センサ
１７：光学スケール
【図１】
2012093496.tif 000003
【図２】
2012093496.tif 000004
【図３】
2012093496.tif 000005
【図４】
2012093496.tif 000006
【図５】
2012093496.tif 000007
【図６】
2012093496.tif 000008
【図７】
2012093496.tif 000009
【図８】
2012093496.tif 000010
【図９】
2012093496.tif 000011
【図１０】
2012093496.tif 000012
【図１１】
2012093496.tif 000013
【図１２】
2012093496.tif 000014